(57)【要約】【課題】  背面側に盤側接続端子を設けてあっても遊技盤の盤面を遊技領域として広く活用することができ、遊技盤の運搬・搬送や内枠への着脱の際に盤側接続端子の損傷を防止することのできる遊技機の配線接続構造と、その配線接続構造を備えた遊技機を提供する。【解決手段】  配線基板２２は収納状態と突出状態とに回動位置を変更可能である。［１］収納状態……取付面２０Ｂの後方領域Ｔ内において、取付面２０Ｂと直交状に位置して盤側接続端子２３を外側から覆う。［２］突出状態……取付面２０Ｂの後方領域Ｔ外において、取付面２０Ｂと平行状に位置して盤側接続端子２３を外部へ露出させる。【選択図】  図１０
2011104272.tif 000002
【特許請求の範囲】
【請求項１】
第一主表面が遊技を実行する複数の遊技装置を装着するための盤面であり、第二主表面がそれらの遊技装置を作動させる第一制御部を搭載するための取付面である遊技盤と、枠組み構造の内側に前記遊技盤を着脱可能に嵌め込み固定するとともに、前記第一制御部に対して信号の送受信を行う第二制御部を搭載する内枠との間に配設される配線接続構造であって、
前記第二制御部と接続された枠側接続端子を取り付けるために前記内枠に形成された設置部と、
前記枠側接続端子と接続することが予定された盤側接続端子を取り付けて、前記遊技盤の取付面側で保持されるとともに、前記取付面の投影領域内に位置して前記盤側接続端子を外側から覆う収納状態と、前記取付面の投影領域外に位置して前記盤側接続端子を外部へ露出させる突出状態とに姿勢変更可能な装着部材とを備え、
前記装着部材が前記収納状態であるとき、前記投影領域の内側において前記盤側接続端子は前記装着部材で覆われて外部への露出が遮られる一方、
前記装着部材が前記突出状態であるとき、前記投影領域の外側において前記盤側接続端子は外部へ露出して前記枠側接続端子と接続可能となることを特徴とする遊技機の配線接続構造。
【請求項２】
第一主表面が遊技を実行する複数の遊技装置を装着するための盤面であり、第二主表面がそれらの遊技装置を作動させる第一制御部を搭載するための取付面である矩形板状の遊技盤と、矩形状枠組み構造の内側に前記遊技盤を着脱可能に嵌め込み固定するとともに、前記第一制御部に対して信号の送受信を行う第二制御部を搭載する内枠との間に配設される配線接続構造であって、
前記第二制御部と接続された枠側接続端子を取り付けるために前記内枠に形成された設置部と、
前記枠側接続端子と接続することが予定された盤側接続端子を取り付けて、前記遊技盤の取付面の一辺と平行な回動軸線周りで回動自在に保持されるとともに、前記取付面の投影領域内に位置して前記盤側接続端子を外側から覆う収納状態と、前記取付面の投影領域外に位置して前記盤側接続端子を外部へ露出させる突出状態とに回動位置を変更可能な装着部材とを備え、
前記装着部材の回動位置が前記収納状態であるとき、前記投影領域の内側において前記盤側接続端子は前記装着部材で覆われて外部への露出が遮られる一方、
前記装着部材の回動位置が前記突出状態であるとき、前記投影領域の外側において前記盤側接続端子は外部へ露出して前記枠側接続端子と接続可能となることを特徴とする遊技機の配線接続構造。
【請求項３】
前記内枠に形成された設置部と前記遊技盤に対して姿勢変更可能に保持された装着部材とのうち少なくともいずれか一方は、対応する前記枠側接続端子又は盤側接続端子が実装された基板にて構成されている請求項１又は２に記載の遊技機の配線接続構造。
【請求項４】
前記装着部材としての配線基板は前記盤側接続端子の実装側とは反対側にて基板ホルダに取り付けられ、
その基板ホルダは、前記配線基板の突出状態において、前記枠側接続端子に接続された盤側接続端子と前記配線基板とを覆って外部への露出を遮る請求項１ないし３のいずれか１項に記載の遊技機の配線接続構造。
【請求項５】
前記基板ホルダには、前記配線基板の収納状態において前記配線基板を前記遊技盤の取付面側に保持するための保持部と、前記配線基板の突出状態において前記内枠に当接可能な内枠当接部とが、それぞれ設けられている請求項４に記載の遊技機の配線接続構造。
【請求項６】
前記基板ホルダは、前記収納状態と突出状態とで前記配線基板と一体的に姿勢変更可能な形態にて、前記遊技盤の取付面側に固定されて前記第一制御部を覆うカバー体に取り付けられるとともに、
そのカバー体には、前記配線基板の収納状態において前記基板ホルダの保持部と係合する係合部が形成される一方、
前記基板ホルダには、前記配線基板の突出状態において前記カバー体に当接して前記配線基板の位置決め可能なカバー体当接部が一体的に形成されている請求項５に記載の遊技機の配線接続構造。
【請求項７】
前記基板ホルダには、前記第一制御部と接続するための中継端子を前記盤側接続端子と平行状に実装する中継基板が、前記配線基板と交差状に固定配置され、前記第一制御部と配線基板とは前記中継基板を介して信号の送受信を行うとともに、
前記基板ホルダには、前記収納状態と突出状態とで前記配線基板が姿勢変更する際に、前記中継端子と第一制御部とを接続する配線の摺接移動を許容する配線案内部が形成されている請求項４ないし６のいずれか１項に記載の遊技機の配線接続構造。
【請求項８】
請求項１ないし７のいずれか１項に記載の配線接続構造が前記遊技盤と内枠との間に配設されていることを特徴とする遊技機。
【発明の詳細な説明】
【技術分野】
【０００１】
本発明は、遊技機の配線接続構造に関する。また、本発明は、その配線接続構造を遊技盤と内枠との間に備えた遊技機に関する。
【背景技術】
【０００２】
例えばパチンコ機（遊技機）の矩形状の遊技盤の前面（盤面）には、センター役物、入賞装置、液晶表示装置、ランプ類等で例示されるように、電気配線を含む遊技装置が多数装着されている。これらの遊技装置は、電源や制御信号の入出力（送受信）を行うために、接続端子（雄型コネクタと雌型コネクタ）を介し、遊技盤の背面に搭載された制御部（第一制御部）において、対応する主制御基板、発光制御基板等と、それぞれ電気的に接続されている。
【０００３】
一方、遊技盤を着脱可能に嵌め込み固定する矩形状の内枠の前面又は背面にも、発射ハンドル、スピーカ、払出装置等で例示されるように、電気配線を含む各種の遊技装置が装着されている。これらの遊技装置は、電源や制御信号の入出力（送受信）を行うために、接続端子（雄型コネクタと雌型コネクタ）を介し、内枠の背面に搭載された制御部（第二制御部）において、対応する発射制御基板、払出制御基板等と、それぞれ電気的に接続されている。なお、遊技盤に装着される液晶表示装置が内枠に搭載される表示制御基板によって駆動制御され、内枠に装着されるスピーカが遊技盤に搭載される音声制御基板によって駆動制御されるように、遊技装置が遊技盤と内枠とのうちの一方、制御基板が他方に設けられる場合もある。
【０００４】
したがって、遊技盤に搭載される第一制御部において主制御基板とその他の制御基板との間、及びその主制御基板と内枠に搭載される第二制御部（の各種制御基板）との間には、信号の送受信が必然的に発生する。また、遊技盤に搭載される制御基板と内枠に搭載される制御基板との相互間においても、信号の送受信が必要となる場合もある。ところで、遊技機の設計変更（モデルチェンジ）や仕様変更（マイナーチェンジ）が低廉に行えるように、遊技盤は内枠に対して着脱可能とされている。遊技盤を交換する際、遊技盤に搭載される制御基板と内枠に搭載される制御基板との間の電気配線を接続解除した後再接続するために、中継用の基板（配線基板）が必要となり、このような配線基板は、主制御基板を搭載する遊技盤側に設けられることが多い。
【０００５】
そこで、このような遊技機では、遊技盤が、内枠の上下方向の開閉軸線に沿う辺（左辺）を中心に回動して内枠の内側に嵌め込み固定されることを利用して、遊技盤の投影領域内の右下部（ただし背面側）において、盤側コネクタを遊技盤（背面）と平行状に取り付ける一方、内枠には、盤側コネクタに対応する位置に枠側コネクタを固定配置することが提案されている（特許文献１参照）。また、遊技盤の投影領域内の左側縁部（ただし背面側）において、盤側コネクタ基板（配線基板）を遊技盤（背面）と平行状に取り付ける一方、内枠には、盤側コネクタ基板に対応する位置に枠側コネクタ基板（接続基板）を固定配置することも提案されている（特許文献２参照）。
【０００６】
これらの遊技機では、遊技盤（背面）と内枠とに各々取り付けられて向き合うコネクタ（接続端子）同士が、遊技盤の内枠への嵌め込み操作に伴って接続されるので、内枠に対する遊技盤の着脱（交換）作業を迅速・簡便に行える利点がある。
【先行技術文献】
【特許文献】
【０００７】
【特許文献１】特開２００４−１６７２２５号公報
【特許文献２】特開２００６−２４７２３０号公報
【０００８】
しかし、特許文献１，２に示すような配線接続構造を用いた場合、遊技盤の遊技領域（の背面スペース）が盤側コネクタの設置によって狭められることになる。すなわち、電気配線を伴う遊技装置を遊技領域（盤面）に装着するときには、その背面には少なくとも配線処理スペースが必要であり、遊技装置が入賞装置であれば背面側に球通路も必要とするので、それらに対応する背面スペースに盤側コネクタを設置することはできなくなる。他方、遊技領域の背面側にて盤側コネクタを設置するときには、それらに対応する盤面スペースを遊技領域（遊技装置の設置スペース）には利用できなくなり、液晶表示装置の大型化等に伴う、近年の遊技領域の拡大要請に応えられなくなる。
【０００９】
また、特許文献１，２に示す遊技盤では、盤側コネクタ（盤側接続端子）が遊技盤の背面側に露出状態で突出する場合があり、交換用の（又は交換後の）遊技盤を重ねて運搬・搬送したり、内枠に対して着脱したりする際に、これらのコネクタが損傷するおそれがある。
【発明の概要】
【発明が解決しようとする課題】
【００１０】
本発明の課題は、背面側に盤側接続端子を設けてあっても遊技盤の盤面を遊技領域として広く活用することができ、遊技盤の運搬・搬送や内枠への着脱の際に盤側接続端子の損傷を防止することのできる遊技機の配線接続構造と、その配線接続構造を遊技盤と内枠との間に備えた遊技機を提供することにある。
【課題を解決するための手段及び発明の効果】
【００１１】
上記課題を解決するために、本発明の遊技機の配線接続構造は、
第一主表面（例えば前面）が遊技を実行する複数の遊技装置を装着するための盤面であり、第二主表面（例えば背面）がそれらの遊技装置を作動させる第一制御部を搭載するための取付面である遊技盤と、枠組み構造の内側に前記遊技盤を着脱可能に嵌め込み固定するとともに、前記第一制御部に対して信号の送受信を行う第二制御部を搭載する内枠との間に配設される配線接続構造であって、
前記第二制御部と接続された枠側接続端子を取り付けるために前記内枠に形成された設置部と、
前記枠側接続端子と接続することが予定された盤側接続端子を取り付けて、前記遊技盤の取付面側で保持されるとともに、前記取付面の投影領域内に位置して前記盤側接続端子を外側から覆う収納状態と、前記取付面の投影領域外に位置して前記盤側接続端子を外部へ露出させる突出状態とに姿勢変更可能な装着部材とを備え、
前記装着部材が前記収納状態であるとき、前記投影領域の内側において前記盤側接続端子は前記装着部材で覆われて外部への露出が遮られる（又は妨げられる；阻止される）一方、
前記装着部材が前記突出状態であるとき、前記投影領域の外側において前記盤側接続端子は外部へ露出して前記枠側接続端子と接続可能となることを特徴とする。
【００１２】
また、上記課題を解決するために、本発明の遊技機の配線接続構造の具体的態様は、
第一主表面（すなわち前面）が遊技を実行する複数の遊技装置を装着するための盤面であり、第二主表面（すなわち背面）がそれらの遊技装置を作動させる第一制御部を搭載するための取付面である矩形板状の遊技盤と、矩形状枠組み構造の内側に前記遊技盤を着脱可能に嵌め込み固定するとともに、前記第一制御部に対して信号の送受信を行う第二制御部を搭載する内枠との間に配設される配線接続構造であって、
前記第二制御部と接続された枠側接続端子を（前記取付面と直交状に）取り付けるために前記内枠に形成された設置部と、
前記枠側接続端子と接続することが予定された盤側接続端子を取り付けて、前記遊技盤の取付面の一辺（例えば下辺）と平行な回動軸線周りで回動自在に保持されるとともに、前記取付面の投影領域内に（おいてその取付面と直交状に）位置して前記盤側接続端子を外側から覆う収納状態と、前記取付面の投影領域外に（おいてその取付面と平行状に）位置して前記盤側接続端子を外部へ露出させる突出状態とに回動位置を変更可能な装着部材とを備え、
前記装着部材の回動位置が前記収納状態であるとき、前記投影領域の内側において前記盤側接続端子は前記装着部材で覆われて外部への露出が遮られる（又は妨げられる；阻止される）一方、
前記装着部材の回動位置が前記突出状態であるとき、前記投影領域の外側において前記盤側接続端子は外部へ露出して前記枠側接続端子と接続可能となることを特徴とする。
【００１３】
このような配線接続構造においては、装着部材（例えば配線基板）の突出状態（すなわち取付面の投影領域外）にて、盤側接続端子と枠側接続端子とを接続するので、遊技盤の盤面を遊技領域として広く活用することができる。また、（交換前の遊技盤の場合には、盤側接続端子と枠側接続端子との接続を解除して、内枠から遊技盤を離脱させ、）装着部材を収納状態（すなわち取付面の投影領域内）としたとき、装着部材は盤側接続端子を外側から覆うので、遊技盤を重ねて運搬・搬送したり、内枠に対して着脱したりする際に、盤側接続端子等の損傷を防止できる。
【００１４】
パチンコ機の場合、一般的には、内枠は上下方向の一辺（例えば左辺）と平行な開閉軸線周りで、ヒンジにより外枠（固定枠）に対して回動開閉可能に支持され、遊技盤は開閉軸線に沿う辺（例えば左辺）を中心に回動して内枠の内側に嵌め込み固定される。なお、盤側接続端子と枠側接続端子とは、一方を雌型コネクタ、他方を雄型コネクタとし、少なくとも一方をフローティングコネクタ（例えば、特開２００８−３４２５０号公報、特許第３０５５６１６号公報参照）にて構成するとよい。また、装着部材の収納状態と突出状態との間の回動角は、通常約９０°に設定される。
【００１５】
そして、遊技盤に対する盤側接続端子の取り付けと、内枠に対する枠側接続端子の取り付けとは、例えば次のように組み合わせることができる。
（１）盤側接続端子を装着部材としての配線基板に実装する一方、枠側接続端子を設置部としての固定部（内枠の一部）に取り付ける。
（２）盤側接続端子を装着部材としての回動板に取り付ける一方、枠側接続端子を設置部としての接続基板に実装する。
（３）盤側接続端子を装着部材としての配線基板に実装する一方、枠側接続端子を設置部としての接続基板に実装する。
（４）盤側接続端子を装着部材としての回動板に取り付ける一方、枠側接続端子を設置部としての固定部（内枠の一部）に取り付ける。
【００１６】
上記配線接続構造では、内枠に形成された設置部と遊技盤に対して姿勢変更可能に保持された装着部材とのうち少なくともいずれか一方は、対応する枠側接続端子又は盤側接続端子が実装された基板で構成することが望ましい。
【００１７】
これによって、少なくともいずれかの端子と基板との間の配線を省略してコストダウンを図ることができ、また配線の絡み付き等により生じる断線を抑制することができる。
【００１８】
一例として、盤側接続端子は第一制御部と接続された配線基板に実装される一方、枠側接続端子は第二制御部と接続された接続基板に実装され、
配線基板の突出状態において遊技盤が内枠の内側に嵌め込まれ、配線基板と内枠の接続基板とが平行状に位置するとき、
配線基板に実装された盤側接続端子と接続基板に実装された枠側接続端子とが向き合う（対峙する）形にて直接接続可能とすることができる。
【００１９】
この場合には、配線基板と接続基板との直接接続（ボードtoボード接続）により、両基板間の配線を省略してコストダウンを図ることができ、また配線の絡み付き等により生じる断線を抑制することができる。
【００２０】
このような装着部材としての配線基板は盤側接続端子の実装側とは反対側にて基板ホルダに取り付けられ、
その基板ホルダは、配線基板の突出状態において、枠側接続端子に接続された盤側接続端子と配線基板とを（例えば内枠の前方側から）覆って外部への露出を遮ることができる。
【００２１】
これにより、配線基板の突出状態にて遊技盤を内枠へ嵌め込み、枠側接続端子と盤側接続端子とを接続する際に、基板ホルダによって配線基板及び盤側接続端子を他物との接触による損傷から保護することができる。なお、配線基板を保持する基板ケースを基板ホルダに固定し、その基板ホルダを配線基板の収納状態と突出状態との間にて回動可能な蝶番部材に構成してもよい。
【００２２】
具体的には、上記基板ホルダには、配線基板の収納状態において配線基板を遊技盤の取付面側に保持するための保持部と、配線基板の突出状態において内枠に当接可能な内枠当接部とを、それぞれ設けることができる。
【００２３】
このように、基板ホルダに保持部及び内枠当接部を設けることにより、収納状態及び突出状態（盤側接続端子と枠側接続端子との接続状態）における基板ホルダ（配線基板）の位置保持が容易となる。なお、上記保持部には、吸着式ラッチ機構の強磁性体（又は永久磁石）、プッシュ式ラッチ機構の移動軸、死点越え機構（ねじりコイルばね）等が用いられる。
【００２４】
また、基板ホルダは、収納状態と突出状態とで配線基板と一体的に姿勢変更可能な形態にて、遊技盤の取付面側に固定されて第一制御部を覆うカバー体（例えば盤裏カバー）に取り付けられるとともに、
そのカバー体には、配線基板の収納状態において基板ホルダの保持部と係合する係合部が形成される一方、
基板ホルダには、配線基板の突出状態においてカバー体に当接して配線基板の位置決め可能なカバー体当接部を一体的に形成することができる。
【００２５】
このように、カバー体に基板ホルダ（配線基板）を取り付けることにより、収納状態の配線基板を遊技盤の取付面から遠ざけ、ひいては対応する盤面スペースを遊技領域に活用しやすくすることができる。そして、カバー体に係合部を形成し、基板ホルダにカバー体当接部を形成することにより、収納状態及び突出状態における基板ホルダ（配線基板）のカバー体への位置保持が一層容易となる。なお、上記係合部には、吸着式ラッチ機構の永久磁石（又は強磁性体）、プッシュ式ラッチ機構の受止部等が用いられる。
【００２６】
さらに、基板ホルダには、第一制御部と接続するための中継端子を盤側接続端子と平行状に実装する中継基板が、配線基板と交差（例えば直交）状に固定配置され、第一制御部と配線基板とは中継基板を介して信号の送受信を行うとともに、
基板ホルダには、収納状態と突出状態とで配線基板が姿勢変更する際に、中継端子と第一制御部とを接続する配線の摺接移動（摺動）を許容する配線案内部が形成されていてもよい。
【００２７】
このように、中継基板と中継端子とを介して配線基板が第一制御部と接続されることにより、また基板ホルダに配線案内部が形成されていることにより、収納状態と突出状態とで配線基板が姿勢変更しても、中継端子と第一制御部とを接続する配線には絡み付き等による断線を生じにくい。
【００２８】
次に、上記課題を解決するために、本発明の遊技機は、
上記した配線接続構造が前記遊技盤と内枠との間に配設されていることを特徴とする。
【００２９】
このように、装着部材（例えば配線基板）の突出状態（すなわち取付面の投影領域外）にて、盤側接続端子と枠側接続端子とを接続するので、遊技盤の盤面を遊技領域として広く活用することができる。また、（交換前の遊技盤の場合には、盤側接続端子と枠側接続端子との接続を解除して、内枠から遊技盤を離脱させ、）装着部材を収納状態（すなわち取付面の投影領域内）としたとき、装着部材は盤側接続端子を外側から覆うので、遊技盤を重ねて運搬・搬送したり、内枠に対して着脱したりする際に、盤側接続端子等の損傷を防止できる。
【００３０】
なお、本発明は、パチンコ機以外の遊技機（例えば、アレンジボール、アレンジパチンコ（アレパチ）、雀球遊技機等）に適用してもよい。
【図面の簡単な説明】
【００３１】
【図１】本発明に係る配線接続構造を備えたパチンコ機を例示する正面図。
【図２】図１の背面図。
【図３】図２のＡ−Ａ断面図。
【図４】図２のＢ−Ｂ断面図。
【図５】図４においてコネクタ接続を解除した状態を表す断面図。
【図６】内枠ユニットに対して遊技盤ユニットを正面側から着脱する状況を説明する斜視図。
【図７】図６のＣ部を拡大して示す斜視図。
【図８】遊技盤ユニットの背面図。
【図９】図８のＤ−Ｄ断面説明図。
【図１０】図８のＥ−Ｅ断面説明図。
【図１１】図１０の変形例を示す断面説明図。
【図１２】図３に代わり、本発明に係る他の配線接続構造を示す側面視断面図。
【発明を実施するための形態】
【００３２】
（実施例１）
以下、本発明の実施の形態を図面を参照しつつ説明する。図１は本発明に係る配線接続構造を備えたパチンコ機を例示する正面図、図２はその背面図、図３はＡ−Ａ断面図、図４はＢ−Ｂ断面図である。図１に示すように、パチンコ機１（遊技機）の遊技盤ユニット２は内枠ユニット３に着脱可能に嵌め込み固定され、内枠ユニット３は正面視左側にてヒンジ３ａを通る上下方向の開閉軸線Ｏ’周りで外枠４（固定枠）に対して回動開閉可能に支持されている。また、遊技盤ユニット２は手前側（遊技者側）に位置するガラス板（図示せず）で覆われ、ガラス板は前面枠５（ガラス枠）に固定され、前面枠５はヒンジ（図示せず）により内枠ユニット３に対して回動開閉可能に支持されている。なお、内枠ユニット３は前面枠５の背面側に、外枠４は内枠ユニット３の背面側に、それぞれ部分的に重なり合った状態で配置されている（図６参照）。
【００３３】
遊技盤ユニット２の主要部を構成する遊技盤２０の盤面２０Ｆ（前面；第一主表面）には、ほぼ左半周が内外２本のガイドレール２０ｂによって区画され、全体として円形に近い形状の遊技領域２０ａが形成されている。遊技領域２０ａの中央には液晶表示装置６（遊技装置）が搭載され、液晶表示装置６の下方（遊技領域２０ａの中央下部）に大入賞装置７（アタッカー；遊技装置）が配置されている。また、液晶表示装置６と大入賞装置７との間には、電動チューリップ（電チュー）にて構成される始動入賞装置８（チャッカー；遊技装置）が配置されている。
【００３４】
さらに、前面枠５の下部には、発射用の遊技球を貯留しておくための球受皿９が前方側に膨出する形で左右方向に延設されている。前面枠５の右側下端部には、球受皿９から供給された遊技球を遊技領域２０ａに発射するための発射ハンドル１０（遊技装置）が前方側に突出形成され、球受皿９の真下で発射ハンドル１０の近傍には、スピーカ１１（遊技装置）が配置されている。なお、内枠３０の左側縁部背面には、賞球や貸球を球受皿９へ払い出すための払出装置１２（遊技装置）が配置されている（図２参照）。
【００３５】
遊技盤２０は、左辺２０Ｌ，右辺２０Ｒ，上辺２０Ｕ，下辺２０Ｄの四辺が矩形状（正方形状又は長方形状）の板製であり（図８参照）、上記したように、盤面２０Ｆに液晶表示装置６，大入賞装置７，始動入賞装置８等の遊技装置を装着している。また、その背面はこれらの遊技装置６，７，８を作動させる第一制御部２１を搭載するための取付面２０Ｂ（第二主表面）となる（図３参照）。なお、第一制御部２１は取付面２０Ｂに固定された盤裏カバー２９（カバー体）によって覆われるとともに、各種制御基板等が盤裏カバー２９の内部に保持されている（図６参照）。
【００３６】
図２に示すように、内枠３０は、左辺３０Ｌ，右辺３０Ｒ，上辺３０Ｕ，下辺３０Ｄの四辺が矩形状（正方形状又は長方形状）の枠組み構造で構成され、その背面側に、上記した発射ハンドル１０，スピーカ１１，払出装置１２等の遊技装置を作動させる第二制御部３１を搭載している。第二制御部３１は、遊技盤２０に搭載された第一制御部２１に対して信号の送受信を行う。そして、遊技盤２０は開閉軸線Ｏ’に沿う左辺２０Ｌを中心に回動して内枠３０の内側に正面側から嵌め込み固定される（図６参照）。
【００３７】
なお、本明細書において、上下方向とは遊技盤２０の盤面２０Ｆに沿う形で遊技球が流下する方向（例えば、鉛直方向）を意味する。また、左右方向とは遊技盤２０の盤面２０Ｆに沿う形で上下方向と交差する方向（例えば、水平方向）を意味し、遊技者側（正面側）からみて左側、右側をいう。さらに、前後方向とは遊技盤２０と交差（例えば、直交）する方向を意味し、遊技者に対面する側（手前側）が前面側（前方側）であり、その反対側（奥側）が後面側（後方側）となる。
【００３８】
図３に示すように、内枠３０（内枠ユニット３）の第二制御部３１と接続された複数（例えば４個）の枠側接続端子３３が、内枠３０の一部である固定部３０ａ（設置部）に取り付けられている。これらの枠側接続端子３３は、第一制御部２１と第二制御部３１との接続状態において、遊技盤２０の取付面２０Ｂに対して直交する。一方、遊技盤２０（遊技盤ユニット２）の第一制御部２１には、枠側接続端子３３と接続するためにそれと同数（４個）の盤側接続端子２３を実装した配線基板２２（装着部材）が配置されている。この配線基板２２は、遊技盤の取付面２０Ｂの下辺２０Ｄと平行な水平状の回動軸線Ｏ周りで回動自在となるように、盤裏カバー２９に保持されている（図２，図８参照）。なお、盤側接続端子２３と枠側接続端子３３とは、いずれか一方（例えば盤側接続端子２３）が雄型コネクタ、他方（例えば枠側接続端子３３）が雌型コネクタであればよく、少なくとも一方（できれば両方とも）にフローティングコネクタを用いることが望ましい。
【００３９】
すなわち、配線基板２２は、
［１］取付面２０Ｂの後方領域Ｔ（投影領域）内において、取付面２０Ｂと直交状に位置して盤側接続端子２３を外側から覆う収納状態（図９（ａ），図１０（ａ）参照）と、
［２］取付面２０Ｂの後方領域Ｔ外において、取付面２０Ｂと平行状に位置して盤側接続端子２３を外部へ露出させる突出状態（図９（ｂ），図１０（ｂ）参照）と、
に回動位置を変更可能（回動角は約９０°）である。
【００４０】
したがって、
［１］図９（ａ），図１０（ａ）のように、配線基板２２の回動位置が収納状態であるとき、後方領域Ｔの内側において盤側接続端子２３は配線基板２２で覆われて外部への露出が遮られる（あるいは妨げられ、阻止される）。
［２］図９（ｂ），図１０（ｂ）のように、配線基板２２の回動位置が突出状態であるとき、後方領域Ｔの外側において盤側接続端子２３は外部へ露出して、第二制御部３１の枠側接続端子３３と接続可能となる（図３，図６参照）。
【００４１】
そして、図６のように、配線基板２２の突出状態において遊技盤２０が内枠３０の内側に嵌め込まれるとき、配線基板２２に実装された盤側接続端子２３は枠側接続端子３３と向き合う（すなわち対峙する）形にて接続可能となる（図３参照）。
【００４２】
配線基板２２の構成についてさらに具体的に説明する。図５はコネクタ接続を解除した状態を表す断面図、図６は内枠ユニットに対して遊技盤ユニットを正面側から着脱する状況を説明する斜視図、図７はそのＣ部を拡大して示す斜視図である。また、図８は遊技盤ユニットの背面図、図９はＤ−Ｄ断面説明図、図１０はＥ−Ｅ断面説明図である。図７に示すように、配線基板２２は盤側接続端子２３の実装側とは反対側にて基板ケース２４ａに固定され、基板ケース２４ａは、盤裏カバー２９に保持された回動軸２４ｓ（回動軸線Ｏ）を中心として、上記した収納状態（図９（ａ），図１０（ａ））と突出状態（図９（ｂ），図１０（ｂ））との間で回動する基板ホルダ２４（回動部材）に取り付けられている。
【００４３】
したがって、図３に示すように、配線基板２２の突出状態において、基板ホルダ２４は、枠側接続端子３３に接続された盤側接続端子２３と配線基板２２とを内枠３０の前方側から覆って外部への露出を遮っている。これによって、配線基板２２の突出状態にて遊技盤２０を内枠３０へ嵌め込み、枠側接続端子３３と盤側接続端子２３とを接続する際に、基板ホルダ２４によって配線基板２２及び盤側接続端子２３を他物との接触による損傷から保護することができる。
【００４４】
図７に戻り、基板ホルダ２４には、配線基板２２の収納状態（図１０（ａ）参照）において配線基板２２を取付面２０Ｂの後方領域Ｔ内に保持するために、軸方向に押されて移動する移動軸２４ｂ（保持部）と、配線基板２２の突出状態（図４，図５参照）において内枠３０に前方側から当接可能な内枠当接部２４ｃとが設けられている。基板ホルダ２４に移動軸２４ｂ及び内枠当接部２４ｃを設けることにより、収納状態及び突出状態（盤側接続端子２３と枠側接続端子３３との接続状態）における基板ホルダ２４（配線基板２２）の位置保持が容易となる。
【００４５】
また、盤裏カバー２９には、配線基板２２の収納状態（図１０（ａ）参照）において基板ホルダ２４の移動軸２４ｂを受け止めて係合する受止部２９ａ（係合部）が形成され、移動軸２４ｂと受止部２９ａとによってプッシュ式ラッチ機構を構成している。一方、基板ホルダ２４には、配線基板２２の突出状態（図１０（ｂ）参照）において盤裏カバー２９に当接して配線基板２２の位置決め可能なカバー体当接部２４ｄが一体的に形成されている。盤裏カバー２９に受止部２９ａを形成し、基板ホルダ２４にカバー体当接部２４ｄを形成することにより、収納状態及び突出状態における基板ホルダ２４（配線基板２２）の盤裏カバー２９への位置保持が一層容易となる。なお、盤裏カバー２９に基板ホルダ２４（配線基板２２）を取り付けることにより、収納状態の配線基板２２を遊技盤２０の取付面２０Ｂから遠ざけ、ひいては対応する盤面２０Ｆのスペースを遊技領域２０ａに活用しやすくなる。
【００４６】
さらに、基板ホルダ２４には、第一制御部２１と接続するための複数（例えば２個）の中継端子２６を盤側接続端子２３と平行状に実装する中継基板２５が、配線基板２２と交差状（例えば直交状）に固定配置され、第一制御部２１と配線基板２２とは中継基板２５を介して信号の送受信を行う。しかも、基板ホルダ２４には、収納状態（図９（ａ）参照）と突出状態（図９（ｂ）参照）とで配線基板２２が姿勢変更する際に、中継端子２６と第一制御部２１とを接続する配線の摺接移動（摺動）を許容するゲート状（門形状）の配線案内部２４ｅが形成されている。中継基板２５と中継端子２６とを介して配線基板２２が第一制御部２１と接続されることにより、また基板ホルダ２４に配線案内部２４ｅが形成されていることにより、収納状態と突出状態とで配線基板２２が姿勢変更しても、中継端子２６と第一制御部２１とを接続する配線には絡み付き等による断線を生じにくい。
【００４７】
以上のような遊技盤（遊技盤ユニット）と内枠（内枠ユニット）との配線接続構造に基づく遊技盤取付作業について、図３〜図１０により説明する。
【００４８】
＜突出状態への変更作業＞
遊技盤２０（遊技盤ユニット２）の基板ホルダ２４（配線基板２２）を回動軸線Ｏ周りに所定の方向（図１０では時計回り）に回動する。これによって、プッシュ式ラッチ機構の移動軸２４ｂと受止部２９ａとが分離され、基板ホルダ２４（配線基板２２）は、取付面２０Ｂの後方領域Ｔ内の収納状態（図１０（ａ）参照）から、取付面２０Ｂの後方領域Ｔの外側へ移動する。基板ホルダ２４（配線基板２２）が約９０°回動すると、カバー体当接部２４ｄが盤裏カバー２９に当接し、突出状態（図１０（ｂ）参照）にて停止する。
【００４９】
＜接続作業＞
開閉軸線Ｏ’に沿う左辺２０Ｌを中心に遊技盤２０（遊技盤ユニット２）を回動し、内枠３０（内枠ユニット２）の内側に正面側から嵌め込み固定する（図６参照）。このとき、取付面２０Ｂの後方領域Ｔの外側において、盤側接続端子２３は枠側接続端子３３と向き合う形で外部へ露出しているので、遊技盤２０の回動（嵌め込み）に伴って枠側接続端子３３と接続される（図３参照）。
【００５０】
次に、遊技盤取外し作業について説明する。
【００５１】
＜接続解除作業＞
開閉軸線Ｏ’に沿う左辺２０Ｌを中心に遊技盤２０（遊技盤ユニット２）を回動し、内枠３０（内枠ユニット２）より嵌め込み固定を解除する（図６参照）。このとき、取付面２０Ｂの後方領域Ｔの外側において、盤側接続端子２３は枠側接続端子３３と向き合う形で外部へ露出しているので、遊技盤２０の回動（嵌め込み解除）に伴って枠側接続端子３３との接続が解除される（図１０（ｂ）参照）。
【００５２】
＜収納状態への変更作業＞
遊技盤２０（遊技盤ユニット２）の基板ホルダ２４（配線基板２２）を回動軸線Ｏ周りに所定の方向（図１０では反時計回り）に回動する。これによって、基板ホルダ２４（配線基板２２）は、取付面２０Ｂの後方領域Ｔ外の突出状態（図１０（ｂ）参照）から、取付面２０Ｂの後方領域Ｔの内側へ移動する。基板ホルダ２４（配線基板２２）が約９０°回動すると、プッシュ式ラッチ機構の移動軸２４ｂと受止部２９ａとが係合し、収納状態（図１０（ａ）参照）にて停止する。
【００５３】
なお、遊技盤（遊技盤ユニット）の交換作業を行う場合には、まず遊技盤取外し作業を行い、その後新たな遊技盤の取付作業を行えばよい。
【００５４】
このように、配線基板２２の突出状態（すなわち、図３に示すような取付面２０Ｂの後方領域Ｔ外）にて、盤側接続端子２３と枠側接続端子３３とを接続するので、遊技盤２０の盤面２０Ｆを遊技領域２０ａとして広く活用することができる。また、（交換前の遊技盤２０の場合には、盤側接続端子２３と枠側接続端子３３との接続を解除して、内枠２０から遊技盤３０を離脱させ、）配線基板２２を収納状態（すなわち、図９（ａ）や図１０（ａ）に示すような取付面２０Ｂの後方領域Ｔ内）としたとき、配線基板２２は盤側接続端子２３を外側から覆うので、遊技盤２０を重ねて運搬・搬送したり、内枠３０に対して着脱したりする際に、盤側接続端子２３等の損傷を防止できる。
【００５５】
（変形例）
次に、図１１は図１０（実施例）の移動軸２４ｂに代わる保持部を示す断面説明図である。この変形例では、配線基板２２（装着部材）の収納状態（図１１（ａ）参照）において配線基板２２を取付面２０Ｂの後方領域Ｔ内に保持するために、基板ホルダ１２４（回動部材）の軸筒部１２４ｓにねじりコイルばね１２４ｂ（保持部）が巻き付けられている。したがって、ねじりコイルばね１２４ｂの死点越えにより、基板ホルダ１２４（配線基板２２）を収納状態（図１１（ａ）参照）と突出状態（図１１（ｂ）参照）とに確実に位置保持できる。
【００５６】
（実施例２）
次に、図１２は、図３に代わり、本発明に係る他の配線接続構造を示す側面視断面図である。図１２に示す内枠２３０では、枠側接続端子３３は、第二制御部３１と接続され、かつ内枠２３０に固定支持された接続基板２３２（設置部）に実装されている。したがって、配線基板２２の突出状態において遊技盤２０（遊技盤ユニット２）が内枠２３０（内枠ユニット３）の内側に嵌め込まれ、配線基板２２と接続基板２３２とが平行状に位置するとき、配線基板２２に実装された盤側接続端子２３と接続基板２３２に実装された枠側接続端子３３とは、向き合う（対峙する）形にて直接接続される。このように、配線基板２２と接続基板２３２との直接接続（ボードtoボード接続）により、両基板２２，２３２間の配線を省略してコストダウンを図ることができ、また配線の絡み付き等により生じる断線を抑制することができる。
【００５７】
変形例（図１１）、実施例２（図１２）において実施例１（図１〜図１０）と共通する機能を有する部分にはそれぞれ同一符号を付して説明を省略する。
【００５８】
なお、本発明に係る配線接続構造は、パチンコ機以外の遊技機（例えば、アレンジボール、アレンジパチンコ（アレパチ）、雀球遊技機等）にも適用できる。また、遊技盤ユニット２を内枠ユニット３へ嵌め込む作業と連動して、基板ホルダ２４（配線基板２２）を収納状態から突出状態へ回動させ、かつ盤側接続端子２３と枠側接続端子３３とを接続する場合には、遊技盤ユニット２の着脱（交換）作業の迅速化・効率化を図ることができる。
【符号の説明】
【００５９】
１        パチンコ機（遊技機）
２        遊技盤ユニット
３        内枠ユニット
３ａ      ヒンジ
４        外枠（固定枠）
５        前面枠（ガラス枠）
６        液晶表示装置（遊技装置）
７        大入賞装置（アタッカー；遊技装置）
８        始動入賞装置（チャッカー；遊技装置）
９        球受皿
１０      発射ハンドル（遊技装置）
１１      スピーカ（遊技装置）
１２      払出装置（遊技装置）
２０      遊技盤
２０ａ    遊技領域
２０ｂ    ガイドレール
２０Ｆ    盤面（前面；第一主表面）
２０Ｂ    取付面（背面；第二主表面）
２０Ｌ    左辺
２０Ｒ    右辺
２０Ｕ    上辺
２０Ｄ    下辺
２１      第一制御部
２２      配線基板（装着部材）
２３      盤側接続端子
２４      基板ホルダ（回動部材）
２４ａ    基板ケース
２４ｂ    移動軸（保持部）
２４ｃ    内枠当接部
２４ｄ    カバー体当接部
２４ｅ    配線案内部
２４ｓ    回動軸
２５      中継基板
２６      中継端子
２９      盤裏カバー（カバー体）
２９ａ    受止部（係合部）
３０      内枠
３０ａ    固定部（設置部）
３０Ｌ    左辺
３０Ｒ    右辺
３０Ｕ    上辺
３０Ｄ    下辺
３１      第二制御部
３３      枠側接続端子
１２４    基板ホルダ（回動部材）
１２４ｂ  ねじりコイルばね（保持部）
１２４ｓ  軸筒部
２３０    内枠
２３２    接続基板（設置部）
Ｏ        回動軸線
Ｏ’      開閉軸線
Ｔ        後方領域（投影領域）
【図１】
2011104272.tif 000003
【図２】
2011104272.tif 000004
【図３】
2011104272.tif 000005
【図４】
2011104272.tif 000006
【図５】
2011104272.tif 000007
【図６】
2011104272.tif 000008
【図７】
2011104272.tif 000009
【図８】
2011104272.tif 000010
【図９】
2011104272.tif 000011
【図１０】
2011104272.tif 000012
【図１１】
2011104272.tif 000013
【図１２】
2011104272.tif 000014